(57)【要約】  被検体（１）を載置する載置板（２）を移動して患部Ａの位置決めを行う患部位置決め機構（３）、（６）は、治療台（５）が３次元診断位置において３次元診断装置（１６）のアイソセンタを仮想アイソセンタ（７）として、粒子線治療を想定し、３次元診断画像に基づいて患部Ａを仮想アイソセンタ（７）に位置決めする。そして、治療台移動機構（４）により、位置決め時点の載置板（２）および患部位置決め機構（３）、（６）の状態を保持して、治療台（５）を粒子線治療装置の治療位置に移動させることで患部Ａを粒子線治療装置のアイソセンタ（８）に位置決めする。
2009153832.tif 000002
【特許請求の範囲】
【請求項１】
加速器から出射される荷電粒子ビームを高エネルギで被検体の患部に照射する粒子線治療に３次元診断を利用する粒子線治療装置の治療台システムにおいて、
上記被検体を載置する載置板と、
上記載置板を支持すると共に上記載置板を移動させることにより、上記患部を上記粒子線治療装置のアイソセンタに位置決めする患部位置決め機構と、
上記患部位置決め機構および上記載置板を備えた治療台を、３次元診断装置の診断位置と上記粒子線治療装置の治療位置との間で移動させる治療台移動機構とを備え、
上記患部位置決め機構は、上記治療台が上記３次元診断装置の診断位置において、上記３次元診断装置のアイソセンタを上記粒子線治療装置の仮想アイソセンタとして、上記粒子線治療装置の粒子線照射口の位置および粒子線照射方向に基づく粒子線治療を想定し、上記３次元診断装置による上記患部の画像に基づいて、上記患部を上記仮想アイソセンタに位置決めし、
上記治療台移動機構は、上記患部が上記仮想アイソセンタに位置決めされる位置決め時点の上記載置板および上記患部位置決め機構の状態を保持して、上記粒子線治療装置の治療位置に移動させることで上記患部を上記粒子線治療装置のアイソセンタに位置決めすることを特徴とする治療台システム。
【請求項２】
上記患部位置決め機構を複数の部材で構成し、該各部材を駆動して、上記載置板を、長軸方向、短軸方向、上下方向、長軸方向を軸とした回転方向、および短軸方向を軸とした回転方向の組み合わせにより移動させることにより、上記患部を上記粒子線治療装置のアイソセンタあるいは上記仮想アイソセンタに位置決めすることを特徴とする請求項１に記載の治療台システム。
【請求項３】
上記患部位置決め機構と上記治療台移動機構とは、互いに独立して駆動されることを特徴とする請求項１に記載の治療台システム。
【請求項４】
上記治療台移動機構は、上記治療台の高さを保持して２次元で移動させるもので、上記患部位置決め機構は、該患部位置決め機構の内、上下方向以外に駆動される部材は、上記治療台移動機構の上層に配置することを特徴とする請求項２に記載の治療台システム。
【請求項５】
上記治療台移動機構は、上記粒子線治療装置の治療位置での状態を、上記位置決め時点での状態と同等にすることを特徴とする請求項１〜４のいずれか１項に記載の治療台システム。
【請求項６】
上記治療台移動機構の状態とは、その形状、および上記治療台に基づく相対的位置であることを特徴とする請求項５に記載の治療台システム。
【請求項７】
上記治療台移動機構は、それぞれ所定方向に互いに独立して駆動される複数部材を階層的に配置して備え、該各部材を順次駆動して状態を変化させた後、復帰させることを特徴とする請求項５に記載の治療台システム。
【請求項８】
上記治療台移動機構の上記複数部材は、並進駆動される部材と回転駆動される部材とを含むことを特徴とする請求項７に記載の治療台システム。
【請求項９】
上記３次元診断装置による診断可能範囲内に上記仮想アイソセンタを設定する手段を備え、上記患部の画像は、上記３次元診断装置のアイソセンタを上記仮想アイソセンタに重ねて行う診断画像であることを特徴とする請求項１〜４のいずれか１項に記載の治療台システム。
【請求項１０】
上記患部位置決め機構は、Ｘ線撮像装置による上記患部の画像に基づいて該患部を上記粒子線治療装置のアイソセンタに位置決めすることを可能とし、上記患部位置決め機構の位置決め情報を保持する手段を備え、上記治療台が記粒子線治療装置の治療位置において、上記保持した位置決め情報に基づいて上記患部を上記粒子線治療装置のアイソセンタに位置決めした後、上記Ｘ線撮像装置による上記患部の画像に基づいて上記患部の位置決めを補正することを特徴とする請求項１〜４のいずれか１項に記載の治療台システム。
【発明の詳細な説明】
【技術分野】
【０００１】
本発明は、粒子線治療装置に使用される治療台システムに関し、特に、３次元診断装置の診断を粒子線治療に利用することを支援する治療台システムに関するものである。
【背景技術】
【０００２】
従来、治療方法として幅広く使用されているＸ線やガンマ線を用いた放射線治療は、人体の表面からの深さに拘わらず放射線の吸収量が高いため、放射線が患部に達するまでに正常な細胞にも影響を与えてしまう。これに対し、陽子線や重イオン線を用いた粒子線治療は、人体の表面からある深さにおいて吸収量がピークになる特性を備えるため、正常細胞の損傷を抑えながら患部だけに集中的に照射でき、効果的な治療方法である。
しかしながら、粒子線治療装置は大型の加速器から出射される荷電粒子ビームを高エネルギで患部に照射する大型装置で、照射系の関連機器配置は一義的に決定され、粒子線の照射口を備える照射ポートを任意に配置することができない。【０００３】
３次元形状である患部の位置決め診断のために、ＣＴ装置に代表される３次元診断装置を用いるのが好ましいが、粒子線照射ポートを大型の３次元診断装置と干渉しないように配置するのは困難である。このため、粒子線治療に３次元診断装置の診断を用いるには、３次元診断装置の治療台上で患部の位置決めを行って治療計画を立てた後、被検体が粒子線治療装置の治療台上に移動して再度患部を位置決めして治療を行う必要があり、位置決め精度が低下するものであった。【０００４】
診断装置と治療装置など複数の装置の異なる治療台に被検体が移動せずに、共通寝台を用いて位置決めを行う従来の治療台（寝台）システムに、以下に示すものがある。
このシステムは、複数の医用装置に共通に使用される寝台と、この寝台を３次元方向の１次元方向に移動可能に支持する手段と、寝台の移動をその１次元方向にのみ制御して被検体を複数の医用装置それぞれのアイソセンタに個別に位置決めする手段とを備える。そして、複数の医用装置それぞれのアイソセンタの、残り２次元それぞれの方向の位置は互いに同一に設定されている（例えば、特許文献１参照）。【０００５】
【特許文献１】特開２００５−５２３０８号公報
【発明の開示】
【発明が解決しようとする課題】
【０００６】
上記特許文献１に示す治療台システムでは、３次元診断装置などのアイソセンタに患部を位置決めした後に、治療台を簡素な動作で移動させて治療装置のアイソセンタに患部を位置決めさせるものである。しかしながら、患部をアイソセンタに位置決めするためには、治療台による位置合わせだけでなく治療装置の照射ポートの位置合わせが必要となり、照射ポートの位置が決まっている粒子線治療装置に適用することはできないものであった。【０００７】
この発明は、上記のような問題点を解消するために成されたものであって、粒子線治療に３次元診断装置の診断を利用して、容易に高精度に患部をアイソセンタに位置決めできる治療台システムを提供することを目的とする。 
【課題を解決するための手段】
【０００８】
この発明に係る治療台システムは、加速器から出射される荷電粒子ビームを高エネルギで被検体の患部に照射する粒子線治療に３次元診断を利用する粒子線治療装置の治療台システムである。この治療台システムは、上記被検体を載置する載置板と、上記載置板を支持すると共に上記載置板を移動させることにより、上記患部を上記粒子線治療装置のアイソセンタに位置決めする患部位置決め機構と、上記患部位置決め機構および上記載置板を備える治療台を、３次元診断装置の診断位置と上記粒子線治療装置の治療位置との間で移動させる治療台移動機構とを備える。そして、上記患部位置決め機構は、上記治療台が上記３次元診断装置の診断位置において、上記３次元診断装置のアイソセンタを上記粒子線治療装置の仮想アイソセンタとして、上記粒子線治療装置の粒子線照射口の位置および粒子線照射方向に基づく粒子線治療を想定し、上記３次元診断装置による上記患部の画像に基づいて、上記患部を上記仮想アイソセンタに位置決めする。上記治療台移動機構は、上記患部が上記仮想アイソセンタに位置決めされる位置決め時点の上記載置板および上記患部位置決め機構の状態を保持して、上記粒子線治療装置の治療位置に移動させることで上記患部を上記粒子線治療装置のアイソセンタに位置決めするものである。
【発明の効果】
【０００９】
この発明による治療台システムでは、３次元診断時と粒子線治療時とで治療台を兼用し、３次元診断装置の診断結果を利用した患部の位置決め状態を保持したまま、治療台を粒子線治療位置に移動させるのみで、容易に患部を粒子線治療装置のアイソセンタに高精度に位置決めできる。
【図面の簡単な説明】
【００１０】
【図１】この発明の実施の形態１による治療台システムの概略構成を、３次元診断時と粒子線治療時とにおいて示す図である。
【図２】この発明の実施の形態１による粒子線治療に用いる加速器の構成を示す図である。
【図３】図１で示す治療台システムの側面図である。
【図４】この発明の実施の形態１による治療台システムの患部位置決め機構を説明する図である。
【図５】この発明の実施の形態２による治療台システムにおける治療台移動機構の構成および動作を説明する図である。
【図６】この発明の実施の形態２による治療台システムにおける治療台移動機構の構成および動作を説明する図である。
【図７】この発明の実施の形態２による治療台システムにおける治療台移動機構の構成および動作を説明する図である。
【図８】この発明の実施の形態２による治療台システムにおける治療台移動機構の構成および動作を説明する図である。
【図９】この発明の実施の形態３による治療台システムにおける治療台移動機構の動作を説明する図である。
【図１０】この発明の実施の形態４の別例による治療台システムにおける治療台移動機構の動作を説明する図である。
【発明を実施するための最良の形態】
【００１１】
実施の形態１．
以下、この発明の実施の形態１による治療台システムを図について説明する。図１（ａ）、図１（ｂ）は、この発明の実施の形態１による治療台システムの概略構成を示した上面図である。また、図１（ａ）、図１（ｂ）で示した治療台システムの側面図を図２（ａ）、図２（ｂ）に示す。特に、図１（ａ）、図２（ａ）は治療台５を３次元診断位置に配置した図であり、図１（ｂ）、図２（ｂ）は治療台５を粒子線治療位置に配置した図である。
図に示すように、治療台システムは、被検体である患者１を載置する載置板２と、載置板２を支持すると共に載置板２を移動させて患部Ａの位置決めをする患部位置決め機構となる第１の患部位置決め機構３および第２の患部位置決め機構６と、第１の患部位置決め機構３の下層に配置された治療台移動機構４とを備えた治療台５を備える。また、第１、第２の患部位置決め機構３、６および治療台移動機構４を制御する制御部（図示せず）を備える。【００１２】
第１の患部位置決め機構３は、複数部材３ａ〜３ｃから成り、載置板２を支持すると共に、長軸方向、短軸方向、長軸方向を軸とした回転方向、および短軸方向を軸とした回転方向の組み合わせにより載置板２を移動させて患部Ａの上下方向以外の位置決めをする。第２の患部位置決め機構６は支持脚６で構成され、該支持脚６が上下に伸縮することにより載置板２を上下方向に移動させ、患部Ａの上下方向の位置決めをする。【００１３】
治療台移動機構４は、３次元診断装置１６の診断位置と粒子線治療装置の治療位置との間で治療台５を移動させるもので、第１、第２の患部位置決め機構３、６と独立して駆動される。この場合、回転テーブル４ａと回転テーブル４ａ上に配置されて回転テーブル４ａと一体的に回転する台座４ｂとで構成される。治療台移動機構４は、第１の患部位置決め機構３の下層で第１の患部位置決め機構３を支持し、治療台移動機構４と第１の患部位置決め機構３と載置板２とを一体的に回転させることで、治療台５を移動させる。【００１４】
図１（ａ）、図２（ａ）に示すように、治療台５が３次元診断装置１６の診断位置にあるとき、３次元診断装置１６のアイソセンタを粒子線治療装置の仮想アイソセンタ７として、患部Ａは第１、第２の患部位置決め機構３、６により仮想アイソセンタ７に位置決めされる。このとき、３次元診断装置１６は、粒子線治療装置の粒子線照射口９ａを備える照射ポート９と干渉しない位置に配置される。【００１５】
この仮想アイソセンタ７への患部Ａの位置決めは、粒子線治療を想定したもので、即ち、実際の粒子線治療装置のアイソセンタ８での粒子線治療時に必要な位置決め動作となる。このため、配置が決まっている粒子線照射口９ａの位置および粒子線照射方向に基づく粒子線治療を想定して載置板２を移動させ、長軸方向、短軸方向、上下方向だけでなく、長軸方向を軸とした回転方向に移動させるロール調整と、短軸方向を軸とした回転方向に移動させるピッチ調整とを含んで位置決めする。この仮想アイソセンタ７は３次元診断装置１６のアイソセンタになっているため、３次元診断装置１６による３次元の診断画像に基づいて位置決めするもので、患部Ａの３次元形状に基づいて高精度に位置決めできる。【００１６】
図３（ａ）、図３（ｂ）、図３（ｃ）は、第１の患部位置決め機構３による動作を説明する３方向からの側面図である。
第１の患部位置決め機構３の部材３ａは、載置板２に対し、ロール調整（図３（ａ）参照）と、ピッチ調整（図３（ｂ）参照）とを行う。部材３ｂは、載置板２を部材３ａと共に長軸方向に移動させ（図３（ｂ）参照）、部材３ｃは、載置板２を部材３ａ、３ｂと共に短軸方向に移動させる（図３（ｃ）参照）。【００１７】
そして、治療台移動機構４は、患部Ａが仮想アイソセンタ７に位置決めされた時点の載置板２および第１、第２の患部位置決め機構３、６の状態を保持して、治療台５を粒子線治療装置の治療位置に移動し、図１（ｂ）、図２（ｂ）に示す状態となる。即ち、仮想アイソセンタ７の位置にあった患部Ａは、粒子線治療装置のアイソセンタ８の位置に移動され、アイソセンタ８に位置決めされる。この場合、治療台５の移動は、仮想アイソセンタ７とアイソセンタ８との中間点を通る回転軸１０を中心に１８０度回転する回転移動であり、回転テーブル４ａの中心は回転軸１０上にある。なお、回転テーブル４ａの下層に配置された支持脚６は、回転せず固定であるが、回転軸１０に対して対称形状である。
治療台５が移動する際、３次元診断装置１６は、治療台５の移動を妨げないように後方に退避しているものとする。なお、図１（ａ）、図１（ｂ）では、照射ポート９が便宜上治療台５に近接しているが、治療台６の回転を妨げない位置で治療室壁面に固定されている。【００１８】
粒子線治療装置のアイソセンタ８に患部Ａが位置決めされると、粒子線治療装置は、粒子線照射口９ａから患部Ａに粒子線を照射して治療を行う。
粒子線治療装置本体は、大型の加速器２０と、加速器２０から出射される荷電粒子ビームを照射室に導入する輸送系と、供給された荷電粒子ビームである粒子線を患部Ａに適正に照射する照射系とを備えて、照射口９ａから粒子線を照射する。図２は、加速器２０の概略構成を示す図である。図に示すように、加速粒子をイオン源２１から荷電粒子ビームとして取り出し、線形加速器２２を使って、あるエネルギまで加速した後、入射装置２３ａから円形軌道に打ち込む。荷電粒子ビームは、円形軌道を周回するたびに加速空洞２４を通過し、そのたびに加速されエネルギが増加していく。それに合わせて磁場も増加させ同じ円形軌道を周回するように調整する。そして、最高エネルギに達したとき、取り出し装置２３ｂから円形軌道の外部へ取り出す。【００１９】
この実施の形態では、第１、第２の患部位置決め機構３、６は、治療台５が３次元診断装置１６の診断位置において、３次元診断装置１６のアイソセンタを粒子線治療装置の仮想アイソセンタ７として、粒子線治療を想定し、３次元診断装置１６による患部Ａの画像に基づいて患部Ａを仮想アイソセンタ７に位置決めする。この位置決め動作は、長軸方向、短軸方向、上下方向だけでなく、長軸方向を軸とした回転方向に移動させるロール調整と、短軸方向を軸とした回転方向に移動させるピッチ調整とを含んで位置決めするものである。【００２０】
通常の３次元診断で、３次元診断装置のアイソセンタに患部を位置決めする際、被検体が搭載される寝台に対して、長軸方向を軸とした回転方向に移動させるロール調整と、短軸方向を軸とした回転方向に移動させるピッチ調整とは不要であり、３次元診断装置の寝台にはそのような位置決め調整機能はない。
この実施の形態による治療台システムでは、照射ポート９の位置合わせができない粒子線治療装置での粒子線治療を想定して、患部Ａを仮想アイソセンタ７に位置決めするため、実際の粒子線治療装置のアイソセンタ８での粒子線治療時に必要な位置決め動作ができる。またこの位置決め動作は、３次元診断装置１６による３次元診断を行いつつ、その診断画像に基づいて位置決めするもので、患部Ａの３次元形状に基づいて高精度に位置決めできる。また、３次元診断装置１６を粒子線治療装置の照射ポート９と干渉することなく配置可能となり、既設の粒子線治療装置にも適用して患部Ａを仮想アイソセンタ７に位置決めできる。【００２１】
さらに、治療台移動機構４は、患部Ａが仮想アイソセンタ７に位置決めされた位置決め時点の載置板２および第１、第２の患部位置決め機構３、６の状態を保持して、治療台５を粒子線治療装置の治療位置に移動させる。治療台移動機構４は、第１、第２の患部位置決め機構３、６と独立して駆動されるため、治療台移動機構４による治療台５の移動時に載置板２および第１、第２の患部位置決め機構３、６の状態を保持できる。このため治療台５は、診断位置と治療位置とで位置決め精度を保持できるだけでなく、診断位置と治療位置とさらに移動の途中位置においても、載置板２および第１、第２の患部位置決め機構３、６のたわみ、変形などの状態に変化がない。このため、被検体１の体位の変化や臓器の移動が防止でき、患部Ａを粒子線治療装置のアイソセンタ８に高精度に位置決めできる。なお、第２の患部位置決め機構６である支持脚６は回転しないものであるが、回転軸１０に対して対称形状で構成されているため、診断位置と治療位置とで、たわみ、変形などの状態に変化がない。【００２２】
治療台５の移動は、２次元平面上で１８０度回転させるのみで、仮想アイソセンタ７の位置にあった患部Ａを粒子線治療装置のアイソセンタ８の位置に移動するもので、容易で簡素な動作により移動できると共に、被検体１の体位の変化や臓器の移動に対する防止効果が高まる。また、治療台移動機構４も、診断位置と治療位置とで、その形状および治療台５内での相対的位置に変化はなく、これにより治療台５全体が、診断位置と治療位置とで、たわみ、変形などの状態にも変化がなく、患部Ａを粒子線治療装置のアイソセンタ８にさらに高精度に位置決めできる。【００２３】
なお、上記実施の形態では、３次元診断装置１６のアイソセンタを粒子線治療装置の仮想アイソセンタ７としたが、３次元診断装置１６は可動であるため、３次元診断装置１６の診断可能範囲内に仮想アイソセンタ７を設定した後、３次元診断装置１６のアイソセンタが仮想アイソセンタ７に一致するように３次元診断装置１６を移動させても良い。
この場合、治療台５を粒子線治療装置の治療位置に配置した状態で、例えばレーザポインタなどを用いて光学的に、あるいは第１、第２の患部位置決め機構３、６に備えられた位置検出センサを用いて、アイソセンタ８の位置情報を、機械的、あるいは電子的に記録する。そして、治療台移動機構４により３次元診断装置１６の付近に治療台５を配置し、３次元診断装置１６の診断可能範囲内に、上記記録されたアイソセンタ８の位置情報に基づいて仮想アイソセンタ７を設定する。この場合、アイソセンタ８と仮想アイソセンタ７とが、治療台５内の回転軸１０に対して対称となるように仮想アイソセンタ７を設定する。【００２４】
実施の形態２．
以下、この発明の実施の形態２による治療台システムについて図５〜図８に基づいて説明する。
この実施の形態２は、上記実施の形態１と治療台移動機構４が異なる。また、載置板２および第１の患部位置決め機構３は、上記実施の形態１と同様であり、第１の患部位置決め機構３は、載置板２を支持すると共に、長軸方向、短軸方向、長軸方向を軸とした回転方向、および短軸方向を軸とした回転方向の組み合わせにより載置板２を移動させて患部Ａの上下方向以外の位置決めをする。なお、載置板２および第１の患部位置決め機構３は、便宜上簡便に図示している。
支持脚６ａから成る第２の患部位置決め機構６ａは、上下に伸縮することにより載置板２を上下方向に移動させて、患部Ａの上下方向の位置決めする機能は上記実施の形態１と同様であるが、幅広の構造となっている。【００２５】
治療台移動機構４は、第１の患部位置決め機構３の下層で第１の患部位置決め機構３を支持し、第１、第２の患部位置決め機構３、６ａと独立して駆動される。そして、３次元診断装置１６の診断位置と粒子線治療装置の治療位置との間で、患部Ａが仮想アイソセンタ７に位置決めされた時点の載置板２および第１、第２の患部位置決め機構３、６ａの状態を保持して、治療台５を移動させる。
なお、図５（ａ）、図５（ｂ）は治療台５を３次元診断位置に配置した図であり、図８（ａ）、図８（ｂ）は治療台５を粒子線治療位置に配置した図である。また、図６（ａ）、図６（ｂ）および図７（ａ）、図７（ｂ）、さらに図８（ｃ）は、治療台５が、３次元診断位置から粒子線治療位置に移動する途中の段階を図示したものである。また、図５（ａ）、図６（ａ）、図７（ａ）、図８（ａ）は上面図であり、図５（ｂ）、図６（ｂ）、図７（ｂ）、図８（ｂ）、図８（ｃ）は側面図である。
図に示すように、治療台移動機構４は複数部材４ｃ〜４ｆが高さ方向に階層的に配置されて構成される。なお、部材４ｃは、支持脚６ａ上に配置されて上層部材４ｄ〜４ｆを支持し、これ自体は移動しない。【００２６】
図５（ａ）、図５（ｂ）に示すように、治療台５が３次元診断装置１６の診断位置にあるとき、３次元診断装置１６のアイソセンタを粒子線治療装置の仮想アイソセンタ７として、患部Ａは第１、第２の患部位置決め機構３、６ａにより仮想アイソセンタ７に位置決めされる。図の状態は、患部Ａが仮想アイソセンタ７に位置決めされた後、治療台５の移動のために、３次元診断装置１６が後方位置に待避した状態である。【００２７】
そして、治療台移動機構４は、患部Ａが仮想アイソセンタ７に位置決めされた時点の載置板２および第１、第２の患部位置決め機構３、６ａの状態を保持して、治療台５を図６（ａ）、図６（ｂ）に示すように移動する。このとき、第１の患部位置決め機構３の底面に配置された治療台移動機構４の部材４ｆにより、載置板２、第１の患部位置決め機構３および部材４ｆは図中、右方向に一体的に移動する。これにより、治療台５全体の長軸方向の寸法が低減する。なお、部材４ｆは下層の部材４ｅの上面側に設けられたものでも良く、その場合、部材４ｆを駆動して載置板２、第１の患部位置決め機構３を一体的に移動させても良い。【００２８】
次に、治療台移動機構４は、患部Ａが仮想アイソセンタ７に位置決めされた時点の載置板２および第１、第２の患部位置決め機構３、６ａの状態を保持して、治療台７を、さらに図７（ａ）、図７（ｂ）に示すように移動する。このとき、治療台移動機構４の部材４ｅは回転駆動され、載置板２、第１の患部位置決め機構３および部材４ｆ、４ｅは、回転軸１１を中心として一体的に１８０度回転される。この回転による移動は、前段階で治療台５全体の長軸方向の寸法が低減しているため、回転半径が小さくなって照射ポート９と干渉することなく行える。【００２９】
次に、治療台移動機構４は、患部Ａが仮想アイソセンタ７に位置決めされた時点の載置板２および第１、第２の患部位置決め機構３、６ａの状態を保持して、治療台７を、さらに図８（ｃ）に示すように移動する。このとき、第１の患部位置決め機構３の底面に配置された治療台移動機構４の部材４ｆにより、載置板２、第１の患部位置決め機構３および部材４ｆは図中、右方向に一体的に移動する。この移動は、図６（ａ）、図６（ｂ）で示した移動を元に戻す動作と相対的に同等である。【００３０】
次に、治療台移動機構４は、患部Ａが仮想アイソセンタ７に位置決めされた時点の載置板２および第１、第２の患部位置決め機構３、６ａの状態を保持して、治療台７を、さらに図８（ａ）、図８（ｂ）に示すように移動する。このとき、治療台移動機構４の部材４ｄにより、載置板２、第１の患部位置決め機構３および部材４ｆ、４ｅ、４ｄは、図中、右方向に一体的に移動する。そして、患部Ａは、粒子線治療装置のアイソセンタ８の位置に移動され、アイソセンタ８に位置決めされる。【００３１】
この実施の形態では、治療台移動機構４は、各部材４ｄ〜４ｆが互いに独立した駆動により順次駆動されて、治療台５が、３次元診断位置から粒子線治療位置に移動する途中の段階では、全体形状を変化させる。そして、治療台５が粒子線治療位置に到達したとき、即ち、患部Ａが粒子線治療装置のアイソセンタ８の位置に移動された時点の、治療台移動機構４の形状および治療台５内での相対的位置は、患部Ａが仮想アイソセンタ７に位置決めされた時点と同等である。このため、上述したように、回転移動の際に回転半径を小さくできるなど、移動の自由度が増大し、設計上の自由度が向上する。【００３２】
治療台移動機構４は、上記実施の形態１と同様に、患部Ａが仮想アイソセンタ７に位置決めされた位置決め時点の載置板２および第１、第２の患部位置決め機構３、６ａの状態を保持して、治療台５を粒子線治療装置の治療位置に移動させる。治療台移動機構４は、第１、第２の患部位置決め機構３、６ａと独立して駆動されるため、治療台移動機構４による治療台５の移動時に載置板２および第１、第２の患部位置決め機構３、６ａの状態を保持できる。このため治療台５は、診断位置と治療位置とで位置決め精度を保持できるだけでなく、診断位置と治療位置とさらに移動の途中位置においても、載置板２および第１、第２の患部位置決め機構３、６ａのたわみ、変形などの状態に変化がない。
そして、図５、図８に示すように、粒子線治療位置と３次元診断位置との治療台５の状態は、支持脚６ａの中央を軸として１８０度回転対称で同等の状態となる。これにより治療台５全体が、診断位置と治療位置とで、たわみ、変形などの状態にも変化がなく、患部Ａを粒子線治療装置のアイソセンタ８に高精度に位置決めできる。【００３３】
なお、治療台５の中で移動しない部材（支持脚６ａ、部材４ｃ）は、移動の軸に対して対称形状で構成される。この場合、治療台５は、支持脚６ａの中央を軸として１８０度回転対称であるため、その軸に対して対称形状となる。【００３４】
実施の形態３．
粒子線治療室の形状や大きさにより、３次元診断装置１６の配置は制約されるため、上記実施の形態１、２と、３次元診断装置１６の配置が異なる場合を以下に示す。
この実施の形態３は、上記実施の形態１、２と治療台移動機構４内の各部の構成が異なるが、治療台移動機構４の各部の形状や動作は、便宜上省略し、治療台５全体の移動の様子を図９（ａ）〜図９（ｃ）に基づいて説明する。
なお、図９（ａ）は治療台５を３次元診断位置に配置した上面図であり、図９（ｃ）は治療台５を粒子線治療位置に配置した上面図である。また、図９（ｂ）は、治療台５が、３次元診断位置から粒子線治療位置に移動する途中の段階を図示したものである。【００３５】
図９（ａ）に示すように、粒子線の照射ポート９と対向配置された３次元診断装置１６の診断位置に治療台５がある。このとき、３次元診断装置１６のアイソセンタを粒子線治療装置の仮想アイソセンタ７として、患部Ａは第１、第２の患部位置決め機構３、６（６ａ）により仮想アイソセンタ７に位置決めされる。【００３６】
そして、治療台５は、粒子線治療装置のアイソセンタ８の位置を中心として図中右回りに９０度回転され、図９（ｂ）に示す状態となる。治療台５が移動する際、３次元診断装置１６は、治療台５の移動を妨げないように後方に退避しているものとする。
次に、上記実施の形態１と同様に、患部Ａとアイソセンタ８との中間点を通る回転軸１０を中心に、治療台５は１８０度回転され、図９（ｃ）に示す状態となる。これにより、患部Ａは、粒子線治療装置のアイソセンタ８の位置に移動され、アイソセンタ８に位置決めされる。【００３７】
この実施の形態においても、図示しない治療台移動機構４は、上記実施の形態１、２と同様に、患部Ａが仮想アイソセンタ７に位置決めされた位置決め時点の載置板２および患部位置決め機構の状態を保持して、治療台５を粒子線治療装置の治療位置に移動させる。また、患部Ａが粒子線治療装置のアイソセンタ８の位置に移動された時点の、治療台移動機構４の状態を、患部Ａが仮想アイソセンタ７に位置決めされた時点と同等とする。このため、上記実施の形態１、２と同様に、治療台５全体が、診断位置と治療位置とで、たわみ、変形などの状態にも変化がなく、患部Ａを粒子線治療装置のアイソセンタ８に高精度に位置決めできる。【００３８】
なお、図１０に示すように、治療室の床に治療台１全体を平行移動させるレール１４を敷設しても良い。この場合、図２と同様に治療台を移動した後、レール１４上を平行移動させて治療台５を粒子線治療装置の治療位置に移動させる。【００３９】
また、上記各実施の形態では、支持脚６（６ａ）により下から支持するものとしたが、上層から釣り下げて支持するものであっても良い。この場合も、治療台移動機構４は、第１の患部位置決め機構３の下層で第１の患部位置決め機構３を支持して治療台５を移動させることに変わりはなく、上記実施の形態１、２と同様に、治療台５全体が、診断位置と治療位置とで、たわみ、変形などの状態にも変化がなく、患部Ａを粒子線治療装置のアイソセンタ８に高精度に位置決めできる。【００４０】
また、上記実施の形態１〜３では、患部Ａを仮想アイソセンタ７に位置決めした後に、治療台５を移動して粒子線治療装置のアイソセンタ８に位置決めするとしたが、前回の位置決め情報に基づいて患部Ａをアイソセンタ８に位置決めしても良い。この場合、患部位置決め機構３、６（６ａ）の位置決め情報を保持する手段を備え、前回、保持された位置決め情報を用いてアイソセンタ８に位置決めする。そして、粒子線治療装置に通常併設される診断装置であるＸ線撮像装置による画像に基づいて、患部位置決め機構３、６（６ａ）により、患部Ａの位置決めを補正する。これにより、被検体１の同一患部Ａに複数回、粒子線治療を行う際、容易で迅速、かつ高精度に患部Ａをアイソセンタ８に位置決めできる。
【産業上の利用可能性】
【００４１】
照射ポートが固定あるいは、短軸の移動のみを可能とするガントリ型の粒子線治療装置など、照射ポート位置の自由度が小さい粒子線治療装置に利用できる。
【図１】
2009153832.tif 000003
【図２】
2009153832.tif 000004
【図３】
2009153832.tif 000005
【図４】
2009153832.tif 000006
【図５】
2009153832.tif 000007
【図６】
2009153832.tif 000008
【図７】
2009153832.tif 000009
【図８】
2009153832.tif 000010
【図９】
2009153832.tif 000011
【図１０】
2009153832.tif 000012
【手続補正書】
【提出日】平成22年9月28日(2010.9.28)
【手続補正１】
【補正対象書類名】特許請求の範囲
【補正対象項目名】全文
【補正方法】変更
【補正の内容】
【特許請求の範囲】
【請求項１】
加速器から出射される荷電粒子ビームを高エネルギで被検体の患部に照射する粒子線治療に３次元診断を利用する粒子線治療装置の治療台システムにおいて、
上記被検体を載置する載置板と、
上記載置板を支持すると共に上記載置板を移動させることにより、上記患部を上記粒子線治療装置のアイソセンタに位置決めする患部位置決め機構と、
上記患部位置決め機構および上記載置板を備えた治療台を、３次元診断装置の診断位置と上記粒子線治療装置の治療位置との間で移動させる治療台移動機構とを備え、
上記患部位置決め機構は、上記載置板を、長軸方向、短軸方向、上下方向、長軸方向を軸とした回転方向、および短軸方向を軸とした回転方向の組み合わせにより移動させる階層的に配置した複数の部材で構成され、
上記患部位置決め機構は、上記治療台が上記３次元診断装置の診断位置において、上記３次元診断装置のアイソセンタを上記粒子線治療装置の仮想アイソセンタとして、上記粒子線治療装置の粒子線照射口の位置および粒子線照射方向に基づく粒子線治療を想定し、上記３次元診断装置による上記患部の画像に基づいて、上記患部を上記仮想アイソセンタに位置決めし、
上記治療台移動機構は、それぞれ所定方向に互いに独立して回転駆動又は並進駆動される複数部材を備え、
上記治療台移動機構は、上記患部が上記仮想アイソセンタに位置決めされる位置決め時点の上記載置板および上記患部位置決め機構の状態を保持したまま、上記載置板の回転半径が小さくなるよう該各部材を順次駆動し、
上記載置板を上記粒子線治療装置の治療位置に移動させることで上記患部を上記粒子線治療装置のアイソセンタに位置決めすることを特徴とする治療台システム。
【請求項２】
上記３次元診断装置による診断可能範囲内に上記仮想アイソセンタを設定する手段を備え、上記患部の画像は、上記３次元診断装置のアイソセンタを上記仮想アイソセンタに重ねて行う診断画像であることを特徴とする請求項１に記載の治療台システム。
【請求項３】
上記患部位置決め機構は、Ｘ線撮像装置による上記患部の画像に基づいて該患部を上記粒子線治療装置のアイソセンタに位置決めすることを可能とし、上記患部位置決め機構の位置決め情報を保持する手段を備え、上記治療台が上記粒子線治療装置の治療位置において、上記保持した位置決め情報に基づいて上記患部を上記粒子線治療装置のアイソセンタに位置決めした後、上記Ｘ線撮像装置による上記患部の画像に基づいて上記患部の位置決めを補正することを特徴とする請求項１又は請求項２に記載の治療台システム。
【手続補正２】
【補正対象書類名】明細書
【補正対象項目名】全文
【補正方法】変更
【補正の内容】
【発明の詳細な説明】
【技術分野】
【０００１】
本発明は、粒子線治療装置に使用される治療台システムに関し、特に、３次元診断装置の診断を粒子線治療に利用することを支援する治療台システムに関するものである。
【背景技術】
【０００２】
従来、治療方法として幅広く使用されているＸ線やガンマ線を用いた放射線治療は、人体の表面からの深さに拘わらず放射線の吸収量が高いため、放射線が患部に達するまでに正常な細胞にも影響を与えてしまう。これに対し、陽子線や重イオン線を用いた粒子線治療は、人体の表面からある深さにおいて吸収量がピークになる特性を備えるため、正常細胞の損傷を抑えながら患部だけに集中的に照射でき、効果的な治療方法である。
しかしながら、粒子線治療装置は大型の加速器から出射される荷電粒子ビームを高エネルギで患部に照射する大型装置で、照射系の関連機器配置は一義的に決定され、粒子線の照射口を備える照射ポートを任意に配置することができない。
【０００３】
３次元形状である患部の位置決め診断のために、ＣＴ装置に代表される３次元診断装置を用いるのが好ましいが、粒子線照射ポートを大型の３次元診断装置と干渉しないように配置するのは困難である。このため、粒子線治療に３次元診断装置の診断を用いるには、３次元診断装置の治療台上で患部の位置決めを行って治療計画を立てた後、被検体が粒子線治療装置の治療台上に移動して再度患部を位置決めして治療を行う必要があり、位置決め精度が低下するものであった。
【０００４】
診断装置と治療装置など複数の装置の異なる治療台に被検体が移動せずに、共通寝台を用いて位置決めを行う従来の治療台（寝台）システムに、以下に示すものがある。
このシステムは、複数の医用装置に共通に使用される寝台と、この寝台を３次元方向の１次元方向に移動可能に支持する手段と、寝台の移動をその１次元方向にのみ制御して被検体を複数の医用装置それぞれのアイソセンタに個別に位置決めする手段とを備える。そして、複数の医用装置それぞれのアイソセンタの、残り２次元それぞれの方向の位置は互いに同一に設定されている（例えば、特許文献１参照）。
【０００５】
【特許文献１】特開２００５−０５２３０８号公報
【発明の開示】
【発明が解決しようとする課題】
【０００６】
上記特許文献１に示す治療台システムでは、３次元診断装置などのアイソセンタに患部を位置決めした後に、治療台を簡素な動作で移動させて治療装置のアイソセンタに患部を位置決めさせるものである。しかしながら、患部をアイソセンタに位置決めするためには、治療台による位置合わせだけでなく治療装置の照射ポートの位置合わせが必要となり、照射ポートの位置が決まっている粒子線治療装置に適用することはできないものであった。
【０００７】
この発明は、上記のような問題点を解消するために成されたものであって、粒子線治療に３次元診断装置の診断を利用して、容易に高精度に患部をアイソセンタに位置決めできる治療台システムを提供することを目的とする。
【課題を解決するための手段】
【０００８】
この発明による治療台システムは、
加速器から出射される荷電粒子ビームを高エネルギで被検体の患部に照射する粒子線治療に３次元診断を利用する粒子線治療装置の治療台システムにおいて、
上記被検体を載置する載置板と、
上記載置板を支持すると共に上記載置板を移動させることにより、上記患部を上記粒子線治療装置のアイソセンタに位置決めする患部位置決め機構と、
上記患部位置決め機構および上記載置板を備えた治療台を、３次元診断装置の診断位置と上記粒子線治療装置の治療位置との間で移動させる治療台移動機構とを備え、
上記患部位置決め機構は、上記載置板を、長軸方向、短軸方向、上下方向、長軸方向を軸とした回転方向、および短軸方向を軸とした回転方向の組み合わせにより移動させる階層的に配置した複数の部材で構成され、
上記患部位置決め機構は、上記治療台が上記３次元診断装置の診断位置において、上記３次元診断装置のアイソセンタを上記粒子線治療装置の仮想アイソセンタとして、上記粒子線治療装置の粒子線照射口の位置および粒子線照射方向に基づく粒子線治療を想定し、上記３次元診断装置による上記患部の画像に基づいて、上記患部を上記仮想アイソセンタに位置決めし、
上記治療台移動機構は、それぞれ所定方向に互いに独立して回転駆動又は並進駆動される複数部材を備え、
上記治療台移動機構は、上記患部が上記仮想アイソセンタに位置決めされる位置決め時点の上記載置板および上記患部位置決め機構の状態を保持したまま、上記載置板の回転半径が小さくなるよう該各部材を順次駆動し、
上記載置板を上記粒子線治療装置の治療位置に移動させることで上記患部を上記粒子線治療装置のアイソセンタに位置決めすることを特徴とするものである。
【発明の効果】
【０００９】
この発明による治療台システムでは、３次元診断時と粒子線治療時とで治療台を兼用し、３次元診断装置の診断結果を利用した患部の位置決め状態を保持したまま、できるだけ小さなスペースを利用して治療台を粒子線治療位置に移動させるのみで、容易に患部を粒子線治療装置のアイソセンタに高精度に位置決めできる。
【図面の簡単な説明】
【００１０】
【図１】この発明の実施の形態１による治療台システムの概略構成を、３次元診断時と粒子線治療時とにおいて示す図である。
【図２】この発明の実施の形態１による治療台システムの患部位置決め機構を説明する図である。
【図３】図１で示す治療台システムの側面図である。
【図４】この発明の実施の形態１による粒子線治療に用いる加速器の構成を示す図である。
【図５】この発明の実施の形態２による治療台システムにおける治療台移動機構の構成および動作を説明する図である。
【図６】この発明の実施の形態２による治療台システムにおける治療台移動機構の構成および動作を説明する図である。
【図７】この発明の実施の形態２による治療台システムにおける治療台移動機構の構成および動作を説明する図である。
【図８】この発明の実施の形態２による治療台システムにおける治療台移動機構の構成および動作を説明する図である。
【図９】この発明の実施の形態３による治療台システムにおける治療台移動機構の動作を説明する図である。
【図１０】この発明の実施の形態３の別例による治療台システムにおける治療台移動機構の動作を説明する図である。
【発明を実施するための最良の形態】
【００１１】
実施の形態１．
以下、この発明の実施の形態１による治療台システムを図について説明する。図１（ａ）、図１（ｂ）は、この発明の実施の形態１による治療台システムの概略構成を示した上面図である。また、図１（ａ）、図１（ｂ）で示した治療台システムの側面図を図２（ａ）、図２（ｂ）に示す。特に、図１（ａ）、図２（ａ）は治療台５を３次元診断位置に配置した図であり、図１（ｂ）、図２（ｂ）は治療台５を粒子線治療位置に配置した図である。
図に示すように、治療台システムは、被検体である患者１を載置する載置板２と、載置板２を支持すると共に載置板２を移動させて患部Ａの位置決めをする患部位置決め機構となる第１の患部位置決め機構３および第２の患部位置決め機構６と、第１の患部位置決め機構３の下層に配置された治療台移動機構４とを備えた治療台５を備える。また、第１、第２の患部位置決め機構３、６および治療台移動機構４を制御する制御部（図示せず）を備える。
【００１２】
第１の患部位置決め機構３は、複数部材３ａ〜３ｃから成り、載置板２を支持すると共に、長軸方向、短軸方向、長軸方向を軸とした回転方向、および短軸方向を軸とした回転方向の組み合わせにより載置板２を移動させて患部Ａの上下方向以外の位置決めをする。第２の患部位置決め機構６は支持脚６で構成され、該支持脚６が上下に伸縮することにより載置板２を上下方向に移動させ、患部Ａの上下方向の位置決めをする。
【００１３】
治療台移動機構４は、３次元診断装置１６の診断位置と粒子線治療装置の治療位置との間で治療台５を移動させるもので、第１、第２の患部位置決め機構３、６と独立して駆動される。この場合、回転テーブル４ａと回転テーブル４ａ上に配置されて回転テーブル４ａと一体的に回転する台座４ｂとで構成される。治療台移動機構４は、第１の患部位置決め機構３の下層で第１の患部位置決め機構３を支持し、治療台移動機構４と第１の患部位置決め機構３と載置板２とを一体的に回転させることで、治療台５を移動させる。
【００１４】
図１（ａ）、図２（ａ）に示すように、治療台５が３次元診断装置１６の診断位置にあるとき、３次元診断装置１６のアイソセンタを粒子線治療装置の仮想アイソセンタ７として、患部Ａは第１、第２の患部位置決め機構３、６により仮想アイソセンタ７に位置決めされる。このとき、３次元診断装置１６は、粒子線治療装置の粒子線照射口９ａを備える照射ポート９と干渉しない位置に配置される。
【００１５】
この仮想アイソセンタ７への患部Ａの位置決めは、粒子線治療を想定したもので、即ち、実際の粒子線治療装置のアイソセンタ８での粒子線治療時に必要な位置決め動作となる。このため、配置が決まっている粒子線照射口９ａの位置および粒子線照射方向に基づく粒子線治療を想定して載置板２を移動させ、長軸方向、短軸方向、上下方向だけでなく、長軸方向を軸とした回転方向に移動させるロール調整と、短軸方向を軸とした回転方向に移動させるピッチ調整とを含んで位置決めする。この仮想アイソセンタ７は３次元診断装置１６のアイソセンタになっているため、３次元診断装置１６による３次元の診断画像に基づいて位置決めするもので、患部Ａの３次元形状に基づいて高精度に位置決めできる。
【００１６】
図３（ａ）、図３（ｂ）、図３（ｃ）は、第１の患部位置決め機構３による動作を説明する３方向からの側面図である。
第１の患部位置決め機構３の部材３ａは、載置板２に対し、ロール調整（図３（ａ）参照）と、ピッチ調整（図３（ｂ）参照）とを行う。部材３ｂは、載置板２を部材３ａと共に長軸方向に移動させ（図３（ｂ）参照）、部材３ｃは、載置板２を部材３ａ、３ｂと共に短軸方向に移動させる（図３（ｃ）参照）。
【００１７】
そして、治療台移動機構４は、患部Ａが仮想アイソセンタ７に位置決めされた時点の載置板２および第１、第２の患部位置決め機構３、６の状態を保持して、治療台５を粒子線治療装置の治療位置に移動し、図１（ｂ）、図２（ｂ）に示す状態となる。即ち、仮想アイソセンタ７の位置にあった患部Ａは、粒子線治療装置のアイソセンタ８の位置に移動され、アイソセンタ８に位置決めされる。この場合、治療台５の移動は、仮想アイソセンタ７とアイソセンタ８との中間点を通る回転軸１０を中心に１８０度回転する回転移動であり、回転テーブル４ａの中心は回転軸１０上にある。なお、回転テーブル４ａの下層に配置された支持脚６は、回転せず固定であるが、回転軸１０に対して対称形状である。
治療台５が移動する際、３次元診断装置１６は、治療台５の移動を妨げないように後方に退避しているものとする。なお、図１（ａ）、図１（ｂ）では、照射ポート９が便宜上治療台５に近接しているが、治療台６の回転を妨げない位置で治療室壁面に固定されている。
【００１８】
粒子線治療装置のアイソセンタ８に患部Ａが位置決めされると、粒子線治療装置は、粒子線照射口９ａから患部Ａに粒子線を照射して治療を行う。
粒子線治療装置本体は、大型の加速器２０と、加速器２０から出射される荷電粒子ビームを照射室に導入する輸送系と、供給された荷電粒子ビームである粒子線を患部Ａに適正に照射する照射系とを備えて、照射口９ａから粒子線を照射する。図４は、加速器２０の概略構成を示す図である。図に示すように、加速粒子をイオン源２１から荷電粒子ビームとして取り出し、線形加速器２２を使って、あるエネルギまで加速した後、入射装置２３ａから円形軌道に打ち込む。荷電粒子ビームは、円形軌道を周回するたびに加速空洞２４を通過し、そのたびに加速されエネルギが増加していく。それに合わせて磁場も増加させ同じ円形軌道を周回するように調整する。そして、最高エネルギに達したとき、取り出し装置２３ｂから円形軌道の外部へ取り出す。
【００１９】
この実施の形態では、第１、第２の患部位置決め機構３、６は、治療台５が３次元診断装置１６の診断位置において、３次元診断装置１６のアイソセンタを粒子線治療装置の仮想アイソセンタ７として、粒子線治療を想定し、３次元診断装置１６による患部Ａの画像に基づいて患部Ａを仮想アイソセンタ７に位置決めする。この位置決め動作は、長軸方向、短軸方向、上下方向だけでなく、長軸方向を軸とした回転方向に移動させるロール調整と、短軸方向を軸とした回転方向に移動させるピッチ調整とを含んで位置決めするものである。
【００２０】
通常の３次元診断で、３次元診断装置のアイソセンタに患部を位置決めする際、被検体が搭載される寝台に対して、長軸方向を軸とした回転方向に移動させるロール調整と、短軸方向を軸とした回転方向に移動させるピッチ調整とは不要であり、３次元診断装置の寝台にはそのような位置決め調整機能はない。
この実施の形態による治療台システムでは、照射ポート９の位置合わせができない粒子線治療装置での粒子線治療を想定して、患部Ａを仮想アイソセンタ７に位置決めするため、実際の粒子線治療装置のアイソセンタ８での粒子線治療時に必要な位置決め動作ができる。またこの位置決め動作は、３次元診断装置１６による３次元診断を行いつつ、その診断画像に基づいて位置決めするもので、患部Ａの３次元形状に基づいて高精度に位置決めできる。また、３次元診断装置１６を粒子線治療装置の照射ポート９と干渉することなく配置可能となり、既設の粒子線治療装置にも適用して患部Ａを仮想アイソセンタ７に位置決めできる。
【００２１】
さらに、治療台移動機構４は、患部Ａが仮想アイソセンタ７に位置決めされた位置決め時点の載置板２および第１、第２の患部位置決め機構３、６の状態を保持して、治療台５を粒子線治療装置の治療位置に移動させる。治療台移動機構４は、第１、第２の患部位置決め機構３、６と独立して駆動されるため、治療台移動機構４による治療台５の移動時に載置板２および第１、第２の患部位置決め機構３、６の状態を保持できる。このため治療台５は、診断位置と治療位置とで位置決め精度を保持できるだけでなく、診断位置と治療位置とさらに移動の途中位置においても、載置板２および第１、第２の患部位置決め機構３、６のたわみ、変形などの状態に変化がない。このため、被検体１の体位の変化や臓器の移動が防止でき、患部Ａを粒子線治療装置のアイソセンタ８に高精度に位置決めできる。なお、第２の患部位置決め機構６である支持脚６は回転しないものであるが、回転軸１０に対して対称形状で構成されているため、診断位置と治療位置とで、たわみ、変形などの状態に変化がない。
【００２２】
治療台５の移動は、２次元平面上で１８０度回転させるのみで、仮想アイソセンタ７の位置にあった患部Ａを粒子線治療装置のアイソセンタ８の位置に移動するもので、容易で簡素な動作により移動できると共に、被検体１の体位の変化や臓器の移動に対する防止効果が高まる。また、治療台移動機構４も、診断位置と治療位置とで、その形状および治療台５内での相対的位置に変化はなく、これにより治療台５全体が、診断位置と治療位置とで、たわみ、変形などの状態にも変化がなく、患部Ａを粒子線治療装置のアイソセンタ８にさらに高精度に位置決めできる。
【００２３】
なお、上記実施の形態では、３次元診断装置１６のアイソセンタを粒子線治療装置の仮想アイソセンタ７としたが、３次元診断装置１６は可動であるため、３次元診断装置１６の診断可能範囲内に仮想アイソセンタ７を設定した後、３次元診断装置１６のアイソセンタが仮想アイソセンタ７に一致するように３次元診断装置１６を移動させても良い。
この場合、治療台５を粒子線治療装置の治療位置に配置した状態で、例えばレーザポインタなどを用いて光学的に、あるいは第１、第２の患部位置決め機構３、６に備えられた位置検出センサを用いて、アイソセンタ８の位置情報を、機械的、あるいは電子的に記録する。そして、治療台移動機構４により３次元診断装置１６の付近に治療台５を配置し、３次元診断装置１６の診断可能範囲内に、上記記録されたアイソセンタ８の位置情報に基づいて仮想アイソセンタ７を設定する。この場合、アイソセンタ８と仮想アイソセンタ７とが、治療台５内の回転軸１０に対して対称となるように仮想アイソセンタ７を設定する。
【００２４】
実施の形態２．
以下、この発明の実施の形態２による治療台システムについて図５〜図８に基づいて説明する。
この実施の形態２は、上記実施の形態１と治療台移動機構４が異なる。また、載置板２および第１の患部位置決め機構３は、上記実施の形態１と同様であり、第１の患部位置決め機構３は、載置板２を支持すると共に、長軸方向、短軸方向、長軸方向を軸とした回転方向、および短軸方向を軸とした回転方向の組み合わせにより載置板２を移動させて患部Ａの上下方向以外の位置決めをする。なお、載置板２および第１の患部位置決め機構３は、便宜上簡便に図示している。
支持脚６ａから成る第２の患部位置決め機構６ａは、上下に伸縮することにより載置板２を上下方向に移動させて、患部Ａの上下方向の位置決めする機能は上記実施の形態１と同様であるが、幅広の構造となっている。
【００２５】
治療台移動機構４は、第１の患部位置決め機構３の下層で第１の患部位置決め機構３を支持し、第１、第２の患部位置決め機構３、６ａと独立して駆動される。そして、３次元診断装置１６の診断位置と粒子線治療装置の治療位置との間で、患部Ａが仮想アイソセンタ７に位置決めされた時点の載置板２および第１、第２の患部位置決め機構３、６ａの状態を保持して、治療台５を移動させる。
なお、図５（ａ）、図５（ｂ）は治療台５を３次元診断位置に配置した図であり、図８（ａ）、図８（ｂ）は治療台５を粒子線治療位置に配置した図である。また、図６（ａ）、図６（ｂ）および図７（ａ）、図７（ｂ）、さらに図８（ｃ）は、治療台５が、３次元診断位置から粒子線治療位置に移動する途中の段階を図示したものである。また、図５（ａ）、図６（ａ）、図７（ａ）、図８（ａ）は上面図であり、図５（ｂ）、図６（ｂ）、図７（ｂ）、図８（ｂ）、図８（ｃ）は側面図である。
図に示すように、治療台移動機構４は複数部材４ｃ〜４ｆが高さ方向に階層的に配置されて構成される。なお、部材４ｃは、支持脚６ａ上に配置されて上層部材４ｄ〜４ｆを支持し、これ自体は移動しない。
【００２６】
図５（ａ）、図５（ｂ）に示すように、治療台５が３次元診断装置１６の診断位置にあるとき、３次元診断装置１６のアイソセンタを粒子線治療装置の仮想アイソセンタ７として、患部Ａは第１、第２の患部位置決め機構３、６ａにより仮想アイソセンタ７に位置決めされる。図の状態は、患部Ａが仮想アイソセンタ７に位置決めされた後、治療台５の移動のために、３次元診断装置１６が後方位置に待避した状態である。
【００２７】
そして、治療台移動機構４は、患部Ａが仮想アイソセンタ７に位置決めされた時点の載置板２および第１、第２の患部位置決め機構３、６ａの状態を保持して、治療台５を図６（ａ）、図６（ｂ）に示すように移動する。このとき、第１の患部位置決め機構３の底面に配置された治療台移動機構４の部材４ｆにより、載置板２、第１の患部位置決め機構３および部材４ｆは図中、右方向に一体的に移動する。これにより、治療台５全体の長軸方向の寸法が低減する。なお、部材４ｆは下層の部材４ｅの上面側に設けられたものでも良く、その場合、部材４ｆを駆動して載置板２、第１の患部位置決め機構３を一体的に移動させても良い。
【００２８】
次に、治療台移動機構４は、患部Ａが仮想アイソセンタ７に位置決めされた時点の載置板２および第１、第２の患部位置決め機構３、６ａの状態を保持して、治療台５を、さらに図７（ａ）、図７（ｂ）に示すように移動する。このとき、治療台移動機構４の部材４ｅは回転駆動され、載置板２、第１の患部位置決め機構３および部材４ｆ、４ｅは、回転軸１１を中心として一体的に１８０度回転される。この回転による移動は、前段階で治療台５全体の長軸方向の寸法が低減しているため、回転半径が小さくなって照射ポート９と干渉することなく行える。
【００２９】
次に、治療台移動機構４は、患部Ａが仮想アイソセンタ７に位置決めされた時点の載置板２および第１、第２の患部位置決め機構３、６ａの状態を保持して、治療台５を、さらに図８（ｃ）に示すように移動する。このとき、第１の患部位置決め機構３の底面に配置された治療台移動機構４の部材４ｆにより、載置板２、第１の患部位置決め機構３および部材４ｆは図中、右方向に一体的に移動する。この移動は、図６（ａ）、図６（ｂ）で示した移動を元に戻す動作と相対的に同等である。
【００３０】
次に、治療台移動機構４は、患部Ａが仮想アイソセンタ７に位置決めされた時点の載置板２および第１、第２の患部位置決め機構３、６ａの状態を保持して、治療台５を、さらに図８（ａ）、図８（ｂ）に示すように移動する。このとき、治療台移動機構４の部材４ｄにより、載置板２、第１の患部位置決め機構３および部材４ｆ、４ｅ、４ｄは、図中、右方向に一体的に移動する。そして、患部Ａは、粒子線治療装置のアイソセンタ８の位置に移動され、アイソセンタ８に位置決めされる。
【００３１】
この実施の形態では、治療台移動機構４は、各部材４ｄ〜４ｆが互いに独立した駆動により順次駆動されて、治療台５が、３次元診断位置から粒子線治療位置に移動する途中の段階では、全体形状を変化させる。そして、治療台５が粒子線治療位置に到達したとき、即ち、患部Ａが粒子線治療装置のアイソセンタ８の位置に移動された時点の、治療台移動機構４の形状および治療台５内での相対的位置は、患部Ａが仮想アイソセンタ７に位置決めされた時点と同等である。このため、上述したように、回転移動の際に回転半径を小さくできるなど、移動の自由度が増大し、設計上の自由度が向上する。
【００３２】
治療台移動機構４は、上記実施の形態１と同様に、患部Ａが仮想アイソセンタ７に位置決めされた位置決め時点の載置板２および第１、第２の患部位置決め機構３、６ａの状態を保持して、治療台５を粒子線治療装置の治療位置に移動させる。治療台移動機構４は、第１、第２の患部位置決め機構３、６ａと独立して駆動されるため、治療台移動機構４による治療台５の移動時に載置板２および第１、第２の患部位置決め機構３、６ａの状態を保持できる。このため治療台５は、診断位置と治療位置とで位置決め精度を保持できるだけでなく、診断位置と治療位置とさらに移動の途中位置においても、載置板２および第１、第２の患部位置決め機構３、６ａのたわみ、変形などの状態に変化がない。
そして、図５、図８に示すように、粒子線治療位置と３次元診断位置との治療台５の状態は、支持脚６ａの中央を軸として１８０度回転対称で同等の状態となる。これにより治療台５全体が、診断位置と治療位置とで、たわみ、変形などの状態にも変化がなく、患部Ａを粒子線治療装置のアイソセンタ８に高精度に位置決めできる。
【００３３】
なお、治療台５の中で移動しない部材（支持脚６ａ、部材４ｃ）は、移動の軸に対して対称形状で構成される。この場合、治療台５は、支持脚６ａの中央を軸として１８０度回転対称であるため、その軸に対して対称形状となる。
【００３４】
実施の形態３．
粒子線治療室の形状や大きさにより、３次元診断装置１６の配置は制約されるため、上記実施の形態１、２と、３次元診断装置１６の配置が異なる場合を以下に示す。
この実施の形態３は、上記実施の形態１、２と治療台移動機構４内の各部の構成が異なるが、治療台移動機構４の各部の形状や動作は、便宜上省略し、治療台５全体の移動の様子を図９（ａ）〜図９（ｃ）に基づいて説明する。
なお、図９（ａ）は治療台５を３次元診断位置に配置した上面図であり、図９（ｃ）は治療台５を粒子線治療位置に配置した上面図である。また、図９（ｂ）は、治療台５が、３次元診断位置から粒子線治療位置に移動する途中の段階を図示したものである。
【００３５】
図９（ａ）に示すように、粒子線の照射ポート９と対向配置された３次元診断装置１６の診断位置に治療台５がある。このとき、３次元診断装置１６のアイソセンタを粒子線治療装置の仮想アイソセンタ７として、患部Ａは第１、第２の患部位置決め機構３、６（６ａ）により仮想アイソセンタ７に位置決めされる。
【００３６】
そして、治療台５は、粒子線治療装置のアイソセンタ８の位置を中心として図中右回りに９０度回転され、図９（ｂ）に示す状態となる。治療台５が移動する際、３次元診断装置１６は、治療台５の移動を妨げないように後方に退避しているものとする。
次に、上記実施の形態１と同様に、患部Ａとアイソセンタ８との中間点を通る回転軸１０を中心に、治療台５は１８０度回転され、図９（ｃ）に示す状態となる。これにより、患部Ａは、粒子線治療装置のアイソセンタ８の位置に移動され、アイソセンタ８に位置決めされる。
【００３７】
この実施の形態においても、図示しない治療台移動機構４は、上記実施の形態１、２と同様に、患部Ａが仮想アイソセンタ７に位置決めされた位置決め時点の載置板２および患部位置決め機構の状態を保持して、治療台５を粒子線治療装置の治療位置に移動させる。また、患部Ａが粒子線治療装置のアイソセンタ８の位置に移動された時点の、治療台移動機構４の状態を、患部Ａが仮想アイソセンタ７に位置決めされた時点と同等とする。このため、上記実施の形態１、２と同様に、治療台５全体が、診断位置と治療位置とで、たわみ、変形などの状態にも変化がなく、患部Ａを粒子線治療装置のアイソセンタ８に高精度に位置決めできる。
【００３８】
なお、図１０に示すように、治療室の床に治療台１全体を平行移動させるレール１４を敷設しても良い。この場合、図２と同様に治療台を移動した後、レール１４上を平行移動させて治療台５を粒子線治療装置の治療位置に移動させる。
【００３９】
また、上記各実施の形態では、支持脚６（６ａ）により下から支持するものとしたが、上層から釣り下げて支持するものであっても良い。この場合も、治療台移動機構４は、第１の患部位置決め機構３の下層で第１の患部位置決め機構３を支持して治療台５を移動させることに変わりはなく、上記実施の形態１、２と同様に、治療台５全体が、診断位置と治療位置とで、たわみ、変形などの状態にも変化がなく、患部Ａを粒子線治療装置のアイソセンタ８に高精度に位置決めできる。
【００４０】
また、上記実施の形態１〜３では、患部Ａを仮想アイソセンタ７に位置決めした後に、治療台５を移動して粒子線治療装置のアイソセンタ８に位置決めするとしたが、前回の位置決め情報に基づいて患部Ａをアイソセンタ８に位置決めしても良い。この場合、患部位置決め機構３、６（６ａ）の位置決め情報を保持する手段を備え、前回、保持された位置決め情報を用いてアイソセンタ８に位置決めする。そして、粒子線治療装置に通常併設される診断装置であるＸ線撮像装置による画像に基づいて、患部位置決め機構３、６（６ａ）により、患部Ａの位置決めを補正する。これにより、被検体１の同一患部Ａに複数回、粒子線治療を行う際、容易で迅速、かつ高精度に患部Ａをアイソセンタ８に位置決めできる。
【産業上の利用可能性】
【００４１】
照射ポートが固定あるいは、短軸の移動のみを可能とするガントリ型の粒子線治療装置など、照射ポート位置の自由度が小さい粒子線治療装置に利用できる。
【手続補正書】
【提出日】平成22年12月28日(2010.12.28)
【手続補正１】
【補正対象書類名】特許請求の範囲
【補正対象項目名】全文
【補正方法】変更
【補正の内容】
【特許請求の範囲】
【請求項１】
加速器から出射される荷電粒子ビームを高エネルギで被検体の患部に照射する粒子線治療に３次元診断を利用する粒子線治療装置の治療台システムにおいて、
上記被検体を載置する載置板と、
上記載置板を支持すると共に上記載置板を移動させることにより、上記患部を上記粒子線治療装置のアイソセンタに位置決めする患部位置決め機構と、
上記患部位置決め機構および上記載置板を備えた治療台を、３次元診断装置の診断位置と上記粒子線治療装置の治療位置との間で移動させる治療台移動機構とを備え、
上記患部位置決め機構は、上記載置板を、長軸方向、短軸方向、上下方向、長軸方向を軸とした回転方向、および短軸方向を軸とした回転方向の組み合わせにより移動させる階層的に配置した複数の部材で構成され、
上記患部位置決め機構は、上記治療台が上記３次元診断装置の診断位置において、上記３次元診断装置のアイソセンタを上記粒子線治療装置の仮想アイソセンタとして、上記粒子線治療装置の粒子線照射口の位置および粒子線照射方向に基づく粒子線治療を想定し、上記３次元診断装置による上記患部の画像に基づいて、上記患部を上記仮想アイソセンタに位置決めし、
上記治療台移動機構は、それぞれ所定方向に互いに独立して回転駆動又は並進駆動される複数部材を備え、
上記治療台移動機構は、上記患部が上記仮想アイソセンタに位置決めされる位置決め時点の上記載置板および上記患部位置決め機構の状態を保持したまま、上記載置板の回転半径を小さくする為に、上記載置板及び上記患部位置決め機構を、当該載置板の中心が上記治療台移動機構の回転軸に近づくように予め並進移動させてから回転させ、
その後、上記載置板及び上記患部位置決め機構を上記粒子線治療装置の治療位置に並進移動させて上記患部を上記粒子線治療装置のアイソセンタに位置決めすることを特徴とする治療台システム。
【請求項２】
上記３次元診断装置による診断可能範囲内に上記仮想アイソセンタを設定する手段を備え、上記患部の画像は、上記３次元診断装置のアイソセンタを上記仮想アイソセンタに重ねて行う診断画像であることを特徴とする請求項１に記載の治療台システム。
【請求項３】
上記患部位置決め機構は、Ｘ線撮像装置による上記患部の画像に基づいて該患部を上記粒子線治療装置のアイソセンタに位置決めすることを可能とし、上記患部位置決め機構の位置決め情報を保持する手段を備え、上記治療台が上記粒子線治療装置の治療位置において、上記保持した位置決め情報に基づいて上記患部を上記粒子線治療装置のアイソセンタに位置決めした後、上記Ｘ線撮像装置による上記患部の画像に基づいて上記患部の位置決めを補正することを特徴とする請求項１又は請求項２に記載の治療台システム。
【手続補正２】
【補正対象書類名】明細書
【補正対象項目名】全文
【補正方法】変更
【補正の内容】
【発明の詳細な説明】
【技術分野】
【０００１】
本発明は、粒子線治療装置に使用される治療台システムに関し、特に、３次元診断装置の診断を粒子線治療に利用することを支援する治療台システムに関するものである。
【背景技術】
【０００２】
従来、治療方法として幅広く使用されているＸ線やガンマ線を用いた放射線治療は、人体の表面からの深さに拘わらず放射線の吸収量が高いため、放射線が患部に達するまでに正常な細胞にも影響を与えてしまう。これに対し、陽子線や重イオン線を用いた粒子線治療は、人体の表面からある深さにおいて吸収量がピークになる特性を備えるため、正常細胞の損傷を抑えながら患部だけに集中的に照射でき、効果的な治療方法である。
しかしながら、粒子線治療装置は大型の加速器から出射される荷電粒子ビームを高エネルギで患部に照射する大型装置で、照射系の関連機器配置は一義的に決定され、粒子線の照射口を備える照射ポートを任意に配置することができない。
【０００３】
３次元形状である患部の位置決め診断のために、ＣＴ装置に代表される３次元診断装置を用いるのが好ましいが、粒子線照射ポートを大型の３次元診断装置と干渉しないように配置するのは困難である。このため、粒子線治療に３次元診断装置の診断を用いるには、３次元診断装置の治療台上で患部の位置決めを行って治療計画を立てた後、被検体が粒子線治療装置の治療台上に移動して再度患部を位置決めして治療を行う必要があり、位置決め精度が低下するものであった。
【０００４】
診断装置と治療装置など複数の装置の異なる治療台に被検体が移動せずに、共通寝台を用いて位置決めを行う従来の治療台（寝台）システムに、以下に示すものがある。
このシステムは、複数の医用装置に共通に使用される寝台と、この寝台を３次元方向の１次元方向に移動可能に支持する手段と、寝台の移動をその１次元方向にのみ制御して被検体を複数の医用装置それぞれのアイソセンタに個別に位置決めする手段とを備える。そして、複数の医用装置それぞれのアイソセンタの、残り２次元それぞれの方向の位置は互いに同一に設定されている（例えば、特許文献１参照）。
【０００５】
【特許文献１】特開２００５−０５２３０８号公報
【発明の開示】
【発明が解決しようとする課題】
【０００６】
上記特許文献１に示す治療台システムでは、３次元診断装置などのアイソセンタに患部を位置決めした後に、治療台を簡素な動作で移動させて治療装置のアイソセンタに患部を位置決めさせるものである。しかしながら、患部をアイソセンタに位置決めするためには、治療台による位置合わせだけでなく治療装置の照射ポートの位置合わせが必要となり、照射ポートの位置が決まっている粒子線治療装置に適用することはできないものであった。
【０００７】
この発明は、上記のような問題点を解消するために成されたものであって、粒子線治療に３次元診断装置の診断を利用して、容易に高精度に患部をアイソセンタに位置決めできる治療台システムを提供することを目的とする。
【課題を解決するための手段】
【０００８】
この発明による治療台システムは、
加速器から出射される荷電粒子ビームを高エネルギで被検体の患部に照射する粒子線治療に３次元診断を利用する粒子線治療装置の治療台システムにおいて、
上記被検体を載置する載置板と、
上記載置板を支持すると共に上記載置板を移動させることにより、上記患部を上記粒子線治療装置のアイソセンタに位置決めする患部位置決め機構と、
上記患部位置決め機構および上記載置板を備えた治療台を、３次元診断装置の診断位置と上記粒子線治療装置の治療位置との間で移動させる治療台移動機構とを備え、
上記患部位置決め機構は、上記載置板を、長軸方向、短軸方向、上下方向、長軸方向を軸とした回転方向、および短軸方向を軸とした回転方向の組み合わせにより移動させる階層的に配置した複数の部材で構成され、
上記患部位置決め機構は、上記治療台が上記３次元診断装置の診断位置において、上記３次元診断装置のアイソセンタを上記粒子線治療装置の仮想アイソセンタとして、上記粒子線治療装置の粒子線照射口の位置および粒子線照射方向に基づく粒子線治療を想定し、上記３次元診断装置による上記患部の画像に基づいて、上記患部を上記仮想アイソセンタに位置決めし、
上記治療台移動機構は、それぞれ所定方向に互いに独立して回転駆動又は並進駆動される複数部材を備え、
上記治療台移動機構は、上記患部が上記仮想アイソセンタに位置決めされる位置決め時点の上記載置板および上記患部位置決め機構の状態を保持したまま、上記載置板の回転半径を小さくする為に、上記載置板及び上記患部位置決め機構を、当該載置板の中心が上記治療台移動機構の回転軸に近づくように予め並進移動させてから回転させ、
その後、上記載置板及び上記患部位置決め機構を上記粒子線治療装置の治療位置に並進移動させて上記患部を上記粒子線治療装置のアイソセンタに位置決めすることを特徴とするものである。
【発明の効果】
【０００９】
この発明による治療台システムでは、３次元診断時と粒子線治療時とで治療台を兼用し、３次元診断装置の診断結果を利用した患部の位置決め状態を保持したまま、できるだけ小さなスペースを利用して治療台を粒子線治療位置に移動させるのみで、容易に患部を粒子線治療装置のアイソセンタに高精度に位置決めできる。
【図面の簡単な説明】
【００１０】
【図１】この発明の実施の形態１による治療台システムの概略構成を、３次元診断時と粒子線治療時とにおいて示す図である。
【図２】この発明の実施の形態１による治療台システムの患部位置決め機構を説明する図である。
【図３】図１で示す治療台システムの側面図である。
【図４】この発明の実施の形態１による粒子線治療に用いる加速器の構成を示す図である。
【図５】この発明の実施の形態２による治療台システムにおける治療台移動機構の構成および動作を説明する図である。
【図６】この発明の実施の形態２による治療台システムにおける治療台移動機構の構成および動作を説明する図である。
【図７】この発明の実施の形態２による治療台システムにおける治療台移動機構の構成および動作を説明する図である。
【図８】この発明の実施の形態２による治療台システムにおける治療台移動機構の構成および動作を説明する図である。
【図９】この発明の実施の形態３による治療台システムにおける治療台移動機構の動作を説明する図である。
【図１０】この発明の実施の形態３の別例による治療台システムにおける治療台移動機構の動作を説明する図である。
【発明を実施するための最良の形態】
【００１１】
実施の形態１．
以下、この発明の実施の形態１による治療台システムを図について説明する。図１（ａ）、図１（ｂ）は、この発明の実施の形態１による治療台システムの概略構成を示した上面図である。また、図１（ａ）、図１（ｂ）で示した治療台システムの側面図を図２（ａ）、図２（ｂ）に示す。特に、図１（ａ）、図２（ａ）は治療台５を３次元診断位置に配置した図であり、図１（ｂ）、図２（ｂ）は治療台５を粒子線治療位置に配置した図である。
図に示すように、治療台システムは、被検体である患者１を載置する載置板２と、載置板２を支持すると共に載置板２を移動させて患部Ａの位置決めをする患部位置決め機構となる第１の患部位置決め機構３および第２の患部位置決め機構６と、第１の患部位置決め機構３の下層に配置された治療台移動機構４とを備えた治療台５を備える。また、第１、第２の患部位置決め機構３、６および治療台移動機構４を制御する制御部（図示せず）を備える。
【００１２】
第１の患部位置決め機構３は、複数部材３ａ〜３ｃから成り、載置板２を支持すると共に、長軸方向、短軸方向、長軸方向を軸とした回転方向、および短軸方向を軸とした回転方向の組み合わせにより載置板２を移動させて患部Ａの上下方向以外の位置決めをする。第２の患部位置決め機構６は支持脚６で構成され、該支持脚６が上下に伸縮することにより載置板２を上下方向に移動させ、患部Ａの上下方向の位置決めをする。
【００１３】
治療台移動機構４は、３次元診断装置１６の診断位置と粒子線治療装置の治療位置との間で治療台５を移動させるもので、第１、第２の患部位置決め機構３、６と独立して駆動される。この場合、回転テーブル４ａと回転テーブル４ａ上に配置されて回転テーブル４ａと一体的に回転する台座４ｂとで構成される。治療台移動機構４は、第１の患部位置決め機構３の下層で第１の患部位置決め機構３を支持し、治療台移動機構４と第１の患部位置決め機構３と載置板２とを一体的に回転させることで、治療台５を移動させる。
【００１４】
図１（ａ）、図２（ａ）に示すように、治療台５が３次元診断装置１６の診断位置にあるとき、３次元診断装置１６のアイソセンタを粒子線治療装置の仮想アイソセンタ７として、患部Ａは第１、第２の患部位置決め機構３、６により仮想アイソセンタ７に位置決めされる。このとき、３次元診断装置１６は、粒子線治療装置の粒子線照射口９ａを備える照射ポート９と干渉しない位置に配置される。
【００１５】
この仮想アイソセンタ７への患部Ａの位置決めは、粒子線治療を想定したもので、即ち、実際の粒子線治療装置のアイソセンタ８での粒子線治療時に必要な位置決め動作となる。このため、配置が決まっている粒子線照射口９ａの位置および粒子線照射方向に基づく粒子線治療を想定して載置板２を移動させ、長軸方向、短軸方向、上下方向だけでなく、長軸方向を軸とした回転方向に移動させるロール調整と、短軸方向を軸とした回転方向に移動させるピッチ調整とを含んで位置決めする。この仮想アイソセンタ７は３次元診断装置１６のアイソセンタになっているため、３次元診断装置１６による３次元の診断画像に基づいて位置決めするもので、患部Ａの３次元形状に基づいて高精度に位置決めできる。
【００１６】
図３（ａ）、図３（ｂ）、図３（ｃ）は、第１の患部位置決め機構３による動作を説明する３方向からの側面図である。
第１の患部位置決め機構３の部材３ａは、載置板２に対し、ロール調整（図３（ａ）参照）と、ピッチ調整（図３（ｂ）参照）とを行う。部材３ｂは、載置板２を部材３ａと共に長軸方向に移動させ（図３（ｂ）参照）、部材３ｃは、載置板２を部材３ａ、３ｂと共に短軸方向に移動させる（図３（ｃ）参照）。
【００１７】
そして、治療台移動機構４は、患部Ａが仮想アイソセンタ７に位置決めされた時点の載置板２および第１、第２の患部位置決め機構３、６の状態を保持して、治療台５を粒子線治療装置の治療位置に移動し、図１（ｂ）、図２（ｂ）に示す状態となる。即ち、仮想アイソセンタ７の位置にあった患部Ａは、粒子線治療装置のアイソセンタ８の位置に移動され、アイソセンタ８に位置決めされる。この場合、治療台５の移動は、仮想アイソセンタ７とアイソセンタ８との中間点を通る回転軸１０を中心に１８０度回転する回転移動であり、回転テーブル４ａの中心は回転軸１０上にある。なお、回転テーブル４ａの下層に配置された支持脚６は、回転せず固定であるが、回転軸１０に対して対称形状である。
治療台５が移動する際、３次元診断装置１６は、治療台５の移動を妨げないように後方に退避しているものとする。なお、図１（ａ）、図１（ｂ）では、照射ポート９が便宜上治療台５に近接しているが、治療台６の回転を妨げない位置で治療室壁面に固定されている。
【００１８】
粒子線治療装置のアイソセンタ８に患部Ａが位置決めされると、粒子線治療装置は、粒子線照射口９ａから患部Ａに粒子線を照射して治療を行う。
粒子線治療装置本体は、大型の加速器２０と、加速器２０から出射される荷電粒子ビームを照射室に導入する輸送系と、供給された荷電粒子ビームである粒子線を患部Ａに適正に照射する照射系とを備えて、照射口９ａから粒子線を照射する。図４は、加速器２０の概略構成を示す図である。図に示すように、加速粒子をイオン源２１から荷電粒子ビームとして取り出し、線形加速器２２を使って、あるエネルギまで加速した後、入射装置２３ａから円形軌道に打ち込む。荷電粒子ビームは、円形軌道を周回するたびに加速空洞２４を通過し、そのたびに加速されエネルギが増加していく。それに合わせて磁場も増加させ同じ円形軌道を周回するように調整する。そして、最高エネルギに達したとき、取り出し装置２３ｂから円形軌道の外部へ取り出す。
【００１９】
この実施の形態では、第１、第２の患部位置決め機構３、６は、治療台５が３次元診断装置１６の診断位置において、３次元診断装置１６のアイソセンタを粒子線治療装置の仮想アイソセンタ７として、粒子線治療を想定し、３次元診断装置１６による患部Ａの画像に基づいて患部Ａを仮想アイソセンタ７に位置決めする。この位置決め動作は、長軸方向、短軸方向、上下方向だけでなく、長軸方向を軸とした回転方向に移動させるロール調整と、短軸方向を軸とした回転方向に移動させるピッチ調整とを含んで位置決めするものである。
【００２０】
通常の３次元診断で、３次元診断装置のアイソセンタに患部を位置決めする際、被検体が搭載される寝台に対して、長軸方向を軸とした回転方向に移動させるロール調整と、短軸方向を軸とした回転方向に移動させるピッチ調整とは不要であり、３次元診断装置の寝台にはそのような位置決め調整機能はない。
この実施の形態による治療台システムでは、照射ポート９の位置合わせができない粒子線治療装置での粒子線治療を想定して、患部Ａを仮想アイソセンタ７に位置決めするため、実際の粒子線治療装置のアイソセンタ８での粒子線治療時に必要な位置決め動作ができる。またこの位置決め動作は、３次元診断装置１６による３次元診断を行いつつ、その診断画像に基づいて位置決めするもので、患部Ａの３次元形状に基づいて高精度に位置決めできる。また、３次元診断装置１６を粒子線治療装置の照射ポート９と干渉することなく配置可能となり、既設の粒子線治療装置にも適用して患部Ａを仮想アイソセンタ７に位置決めできる。
【００２１】
さらに、治療台移動機構４は、患部Ａが仮想アイソセンタ７に位置決めされた位置決め時点の載置板２および第１、第２の患部位置決め機構３、６の状態を保持して、治療台５を粒子線治療装置の治療位置に移動させる。治療台移動機構４は、第１、第２の患部位置決め機構３、６と独立して駆動されるため、治療台移動機構４による治療台５の移動時に載置板２および第１、第２の患部位置決め機構３、６の状態を保持できる。このため治療台５は、診断位置と治療位置とで位置決め精度を保持できるだけでなく、診断位置と治療位置とさらに移動の途中位置においても、載置板２および第１、第２の患部位置決め機構３、６のたわみ、変形などの状態に変化がない。このため、被検体１の体位の変化や臓器の移動が防止でき、患部Ａを粒子線治療装置のアイソセンタ８に高精度に位置決めできる。なお、第２の患部位置決め機構６である支持脚６は回転しないものであるが、回転軸１０に対して対称形状で構成されているため、診断位置と治療位置とで、たわみ、変形などの状態に変化がない。
【００２２】
治療台５の移動は、２次元平面上で１８０度回転させるのみで、仮想アイソセンタ７の位置にあった患部Ａを粒子線治療装置のアイソセンタ８の位置に移動するもので、容易で簡素な動作により移動できると共に、被検体１の体位の変化や臓器の移動に対する防止効果が高まる。また、治療台移動機構４も、診断位置と治療位置とで、その形状および治療台５内での相対的位置に変化はなく、これにより治療台５全体が、診断位置と治療位置とで、たわみ、変形などの状態にも変化がなく、患部Ａを粒子線治療装置のアイソセンタ８にさらに高精度に位置決めできる。
【００２３】
なお、上記実施の形態では、３次元診断装置１６のアイソセンタを粒子線治療装置の仮想アイソセンタ７としたが、３次元診断装置１６は可動であるため、３次元診断装置１６の診断可能範囲内に仮想アイソセンタ７を設定した後、３次元診断装置１６のアイソセンタが仮想アイソセンタ７に一致するように３次元診断装置１６を移動させても良い。
この場合、治療台５を粒子線治療装置の治療位置に配置した状態で、例えばレーザポインタなどを用いて光学的に、あるいは第１、第２の患部位置決め機構３、６に備えられた位置検出センサを用いて、アイソセンタ８の位置情報を、機械的、あるいは電子的に記録する。そして、治療台移動機構４により３次元診断装置１６の付近に治療台５を配置し、３次元診断装置１６の診断可能範囲内に、上記記録されたアイソセンタ８の位置情報に基づいて仮想アイソセンタ７を設定する。この場合、アイソセンタ８と仮想アイソセンタ７とが、治療台５内の回転軸１０に対して対称となるように仮想アイソセンタ７を設定する。
【００２４】
実施の形態２．
以下、この発明の実施の形態２による治療台システムについて図５〜図８に基づいて説明する。
この実施の形態２は、上記実施の形態１と治療台移動機構４が異なる。また、載置板２および第１の患部位置決め機構３は、上記実施の形態１と同様であり、第１の患部位置決め機構３は、載置板２を支持すると共に、長軸方向、短軸方向、長軸方向を軸とした回転方向、および短軸方向を軸とした回転方向の組み合わせにより載置板２を移動させて患部Ａの上下方向以外の位置決めをする。なお、載置板２および第１の患部位置決め機構３は、便宜上簡便に図示している。
支持脚６ａから成る第２の患部位置決め機構６ａは、上下に伸縮することにより載置板２を上下方向に移動させて、患部Ａの上下方向の位置決めする機能は上記実施の形態１と同様であるが、幅広の構造となっている。
【００２５】
治療台移動機構４は、第１の患部位置決め機構３の下層で第１の患部位置決め機構３を支持し、第１、第２の患部位置決め機構３、６ａと独立して駆動される。そして、３次元診断装置１６の診断位置と粒子線治療装置の治療位置との間で、患部Ａが仮想アイソセンタ７に位置決めされた時点の載置板２および第１、第２の患部位置決め機構３、６ａの状態を保持して、治療台５を移動させる。
なお、図５（ａ）、図５（ｂ）は治療台５を３次元診断位置に配置した図であり、図８（ａ）、図８（ｂ）は治療台５を粒子線治療位置に配置した図である。また、図６（ａ）、図６（ｂ）および図７（ａ）、図７（ｂ）、さらに図８（ｃ）は、治療台５が、３次元診断位置から粒子線治療位置に移動する途中の段階を図示したものである。また、図５（ａ）、図６（ａ）、図７（ａ）、図８（ａ）は上面図であり、図５（ｂ）、図６（ｂ）、図７（ｂ）、図８（ｂ）、図８（ｃ）は側面図である。
図に示すように、治療台移動機構４は複数部材４ｃ〜４ｆが高さ方向に階層的に配置されて構成される。なお、部材４ｃは、支持脚６ａ上に配置されて上層部材４ｄ〜４ｆを支持し、これ自体は移動しない。
【００２６】
図５（ａ）、図５（ｂ）に示すように、治療台５が３次元診断装置１６の診断位置にあるとき、３次元診断装置１６のアイソセンタを粒子線治療装置の仮想アイソセンタ７として、患部Ａは第１、第２の患部位置決め機構３、６ａにより仮想アイソセンタ７に位置決めされる。図の状態は、患部Ａが仮想アイソセンタ７に位置決めされた後、治療台５の移動のために、３次元診断装置１６が後方位置に待避した状態である。
【００２７】
そして、治療台移動機構４は、患部Ａが仮想アイソセンタ７に位置決めされた時点の載置板２および第１、第２の患部位置決め機構３、６ａの状態を保持して、治療台５を図６（ａ）、図６（ｂ）に示すように移動する。このとき、第１の患部位置決め機構３の底面に配置された治療台移動機構４の部材４ｆにより、載置板２、第１の患部位置決め機構３および部材４ｆは図中、右方向に一体的に移動する。これにより、治療台５全体の長軸方向の寸法が低減する。なお、部材４ｆは下層の部材４ｅの上面側に設けられたものでも良く、その場合、部材４ｆを駆動して載置板２、第１の患部位置決め機構３を一体的に移動させても良い。
【００２８】
次に、治療台移動機構４は、患部Ａが仮想アイソセンタ７に位置決めされた時点の載置板２および第１、第２の患部位置決め機構３、６ａの状態を保持して、治療台５を、さらに図７（ａ）、図７（ｂ）に示すように移動する。このとき、治療台移動機構４の部材４ｅは回転駆動され、載置板２、第１の患部位置決め機構３および部材４ｆ、４ｅは、回転軸１１を中心として一体的に１８０度回転される。この回転による移動は、前段階で治療台５全体の長軸方向の寸法が低減しているため、回転半径が小さくなって照射ポート９と干渉することなく行える。
【００２９】
次に、治療台移動機構４は、患部Ａが仮想アイソセンタ７に位置決めされた時点の載置板２および第１、第２の患部位置決め機構３、６ａの状態を保持して、治療台５を、さらに図８（ｃ）に示すように移動する。このとき、第１の患部位置決め機構３の底面に配置された治療台移動機構４の部材４ｆにより、載置板２、第１の患部位置決め機構３および部材４ｆは図中、右方向に一体的に移動する。この移動は、図６（ａ）、図６（ｂ）で示した移動を元に戻す動作と相対的に同等である。
【００３０】
次に、治療台移動機構４は、患部Ａが仮想アイソセンタ７に位置決めされた時点の載置板２および第１、第２の患部位置決め機構３、６ａの状態を保持して、治療台５を、さらに図８（ａ）、図８（ｂ）に示すように移動する。このとき、治療台移動機構４の部材４ｄにより、載置板２、第１の患部位置決め機構３および部材４ｆ、４ｅ、４ｄは、図中、右方向に一体的に移動する。そして、患部Ａは、粒子線治療装置のアイソセンタ８の位置に移動され、アイソセンタ８に位置決めされる。
【００３１】
この実施の形態では、治療台移動機構４は、各部材４ｄ〜４ｆが互いに独立した駆動により順次駆動されて、治療台５が、３次元診断位置から粒子線治療位置に移動する途中の段階では、全体形状を変化させる。そして、治療台５が粒子線治療位置に到達したとき、即ち、患部Ａが粒子線治療装置のアイソセンタ８の位置に移動された時点の、治療台移動機構４の形状および治療台５内での相対的位置は、患部Ａが仮想アイソセンタ７に位置決めされた時点と同等である。このため、上述したように、回転移動の際に回転半径を小さくできるなど、移動の自由度が増大し、設計上の自由度が向上する。
【００３２】
治療台移動機構４は、上記実施の形態１と同様に、患部Ａが仮想アイソセンタ７に位置決めされた位置決め時点の載置板２および第１、第２の患部位置決め機構３、６ａの状態を保持して、治療台５を粒子線治療装置の治療位置に移動させる。治療台移動機構４は、第１、第２の患部位置決め機構３、６ａと独立して駆動されるため、治療台移動機構４による治療台５の移動時に載置板２および第１、第２の患部位置決め機構３、６ａの状態を保持できる。このため治療台５は、診断位置と治療位置とで位置決め精度を保持できるだけでなく、診断位置と治療位置とさらに移動の途中位置においても、載置板２および第１、第２の患部位置決め機構３、６ａのたわみ、変形などの状態に変化がない。
そして、図５、図８に示すように、粒子線治療位置と３次元診断位置との治療台５の状態は、支持脚６ａの中央を軸として１８０度回転対称で同等の状態となる。これにより治療台５全体が、診断位置と治療位置とで、たわみ、変形などの状態にも変化がなく、患部Ａを粒子線治療装置のアイソセンタ８に高精度に位置決めできる。
【００３３】
なお、治療台５の中で移動しない部材（支持脚６ａ、部材４ｃ）は、移動の軸に対して対称形状で構成される。この場合、治療台５は、支持脚６ａの中央を軸として１８０度回転対称であるため、その軸に対して対称形状となる。
【００３４】
実施の形態３．
粒子線治療室の形状や大きさにより、３次元診断装置１６の配置は制約されるため、上記実施の形態１、２と、３次元診断装置１６の配置が異なる場合を以下に示す。
この実施の形態３は、上記実施の形態１、２と治療台移動機構４内の各部の構成が異なるが、治療台移動機構４の各部の形状や動作は、便宜上省略し、治療台５全体の移動の様子を図９（ａ）〜図９（ｃ）に基づいて説明する。
なお、図９（ａ）は治療台５を３次元診断位置に配置した上面図であり、図９（ｃ）は治療台５を粒子線治療位置に配置した上面図である。また、図９（ｂ）は、治療台５が、３次元診断位置から粒子線治療位置に移動する途中の段階を図示したものである。
【００３５】
図９（ａ）に示すように、粒子線の照射ポート９と対向配置された３次元診断装置１６の診断位置に治療台５がある。このとき、３次元診断装置１６のアイソセンタを粒子線治療装置の仮想アイソセンタ７として、患部Ａは第１、第２の患部位置決め機構３、６（６ａ）により仮想アイソセンタ７に位置決めされる。
【００３６】
そして、治療台５は、粒子線治療装置のアイソセンタ８の位置を中心として図中右回りに９０度回転され、図９（ｂ）に示す状態となる。治療台５が移動する際、３次元診断装置１６は、治療台５の移動を妨げないように後方に退避しているものとする。
次に、上記実施の形態１と同様に、患部Ａとアイソセンタ８との中間点を通る回転軸１０を中心に、治療台５は１８０度回転され、図９（ｃ）に示す状態となる。これにより、患部Ａは、粒子線治療装置のアイソセンタ８の位置に移動され、アイソセンタ８に位置決めされる。
【００３７】
この実施の形態においても、図示しない治療台移動機構４は、上記実施の形態１、２と同様に、患部Ａが仮想アイソセンタ７に位置決めされた位置決め時点の載置板２および患部位置決め機構の状態を保持して、治療台５を粒子線治療装置の治療位置に移動させる。また、患部Ａが粒子線治療装置のアイソセンタ８の位置に移動された時点の、治療台移動機構４の状態を、患部Ａが仮想アイソセンタ７に位置決めされた時点と同等とする。このため、上記実施の形態１、２と同様に、治療台５全体が、診断位置と治療位置とで、たわみ、変形などの状態にも変化がなく、患部Ａを粒子線治療装置のアイソセンタ８に高精度に位置決めできる。
【００３８】
なお、図１０に示すように、治療室の床に治療台１全体を平行移動させるレール１４を敷設しても良い。この場合、図２と同様に治療台を移動した後、レール１４上を平行移動させて治療台５を粒子線治療装置の治療位置に移動させる。
【００３９】
また、上記各実施の形態では、支持脚６（６ａ）により下から支持するものとしたが、上層から釣り下げて支持するものであっても良い。この場合も、治療台移動機構４は、第１の患部位置決め機構３の下層で第１の患部位置決め機構３を支持して治療台５を移動させることに変わりはなく、上記実施の形態１、２と同様に、治療台５全体が、診断位置と治療位置とで、たわみ、変形などの状態にも変化がなく、患部Ａを粒子線治療装置のアイソセンタ８に高精度に位置決めできる。
【００４０】
また、上記実施の形態１〜３では、患部Ａを仮想アイソセンタ７に位置決めした後に、治療台５を移動して粒子線治療装置のアイソセンタ８に位置決めするとしたが、前回の位置決め情報に基づいて患部Ａをアイソセンタ８に位置決めしても良い。この場合、患部位置決め機構３、６（６ａ）の位置決め情報を保持する手段を備え、前回、保持された位置決め情報を用いてアイソセンタ８に位置決めする。そして、粒子線治療装置に通常併設される診断装置であるＸ線撮像装置による画像に基づいて、患部位置決め機構３、６（６ａ）により、患部Ａの位置決めを補正する。これにより、被検体１の同一患部Ａに複数回、粒子線治療を行う際、容易で迅速、かつ高精度に患部Ａをアイソセンタ８に位置決めできる。
【産業上の利用可能性】
【００４１】
照射ポートが固定あるいは、短軸の移動のみを可能とするガントリ型の粒子線治療装置など、照射ポート位置の自由度が小さい粒子線治療装置に利用できる。
【国際調査報告】
2009153832.tif 000013
2009153832.tif 000014
2009153832.tif 000015
2009153832.tif 000016